(57)【特許請求の範囲】
【請求項１】
出し入れ口を開口したポケット部を片面に有する収納板と、該収納板の前記出し入れ口と対向する側の辺に折り部を介して収納板側に折り重ね可能に連接した蓋板と、電報用紙が片面に取り付けられ前記ポケット部に一部分が差し入れられて支持され、かつ出し入れ可能に収納される台紙本体とを備え、
前記蓋板は、ポケット部側に折り重ねたときに該ポケット部に収納した台紙本体とポケット部の出し入れ口とを覆う大きさに設定され、
前記収納板と前記蓋板と前記ポケット部の外表面が袱紗生地からなる化粧外皮材で覆われ、前記蓋板の内面と前記収納板の内面と前記ポケット部の内面に亘って連続する布地からなる化粧内皮材が貼られていて、前記収納板の内面の化粧内皮材と前記ポケット部の内面の化粧内皮材との間に、前記電報用紙を取り付けた前記台紙本体が配置されていることを特徴とする電報用台紙。
【発明の詳細な説明】
【０００１】
【発明の属する技術分野】
本発明は電報を送付する際に使用する電報用台紙に関するものである。
【０００２】
【発明が解決しようとする課題】
従来、電報、特に祝電などのような電報を送る場合、送り手の気持ちをより表すことができるようにするために専用の電報用台紙が用意されていて、電報用紙にその電報用台紙を組み合わせて送り届けるようにすることが行われ、そして、このような従来の電報用台紙では、二つ折りされたシートの内面側を電報用紙取付面とするとともに、電報用紙を挟み込むようにして二つ折りしたときに外方となる外表面に絵柄などによる装飾を設けて外観を整えており、電報を受け取った側にあっては台紙を見開くようにすることで祝いや弔いの電報文を読むことができるものとなっていた。
しかしながら、上記した従来の電報用台紙では、二つ折りしたその台紙の間に電報用紙を挟み込むという簡易な保持形態であるため、電報文にて伝える祝いの気持ちや弔いの気持ちに沿った重厚さが十分には表現できないという不都合がある。また、このような祝いや弔いの電報を受け取った側においてはこれらの電報文を保管管理することが多くなされているが、上述したように二つ折りした台紙の内面側に貼り付けるなどしているため、月日を経るとその電報用紙が脱落する可能性もあり、確実な保持形態とはなっていなかった。
そこで本発明者らは祝い事の祝儀袋や弔い事の香典袋などを包む目的で多く利用されている袱紗に着目したものであって、本発明は、このような袱紗を用いた場合のように台紙で電報用紙を包み込めることができるようにするとともに、前述の袱紗にて包まれているような台紙の外観が得られるようにすることを課題とし、電報用紙の保持が確実に行え、電報用台紙の外観が袱紗地となるようにすることを目的とするものである。
【０００３】
【課題を解決するための手段】
本発明は上記課題を考慮してなされたもので、出し入れ口を開口したポケット部を片面に有する収納板と、該収納板の前記出し入れ口と対向する側の辺に折り部を介して収納板側に折り重ね可能に連接した蓋板と、電報用紙が片面に取り付けられ前記ポケット部に一部分が差し入れられて支持され、かつ出し入れ可能に収納される台紙本体とを備え、前記蓋板は、ポケット部側に折り重ねたときに該ポケット部に収納した台紙本体とポケット部の出し入れ口とを覆う大きさに設定され、前記収納板と前記蓋板と前記ポケット部の外表面が袱紗生地からなる化粧外皮材で覆われ、前記蓋板の内面と前記収納板の内面と前記ポケット部の内面に亘って連続する布地からなる化粧内皮材が貼られていて、前記収納板の内面の化粧内皮材と前記ポケット部の内面の化粧内皮材との間に、前記電報用紙を取り付けた前記台紙本体が配置されていることを特徴とする電報用台紙を提供して、上記課題を解消するものである。
【０００４】
【発明の実施の形態】
つぎに本発明を図１と図２に示す実施の形態に基づいて詳細に説明する。
図中１は電報用台紙であり、該電報用台紙１はそれぞれ薄形とされた収納板２と蓋板３とが折り部４を介して連接され、前記収納板２側に電報用紙５を取り付ける台紙本体６を支持させるようにしたものである。前記収納板２にあっては、折り部４からこの収納板２と蓋板３とを折り重ねたときに内面側となる片面に、出し入れ口７を開口したポケット部８を有していて、このポケット部８の出し入れ口７と対向する辺に前記折り部４が位置して蓋板３がポケット部８側に折り重ね可能に連接されている。そして、折り部４から折り重ねることのできる前記蓋板３にあっては、ポケット部８に差し入れられた台紙本体６とその出し入れ口７を覆うことのできる寸法に形成されており、電報用紙５を前記台紙本体６の片面に取り付けた状態で出し入れ口７からポケット部８に差し入れ、蓋板３を重ねることで電報用紙５を隠蔽し、また、この電報用紙５と台紙本体６とをポケット部８が確実に保持するように設けられている。なお、ポケット部８の差し入れ深さは台紙本体６を全て差し入れるようにするものではなく、その台紙本体６の一部分を差し入れて支持させるようにしており、蓋板３を開くことで、台紙本体６に取り付けた電報用紙５に記載された電報発信人の住所氏名などの情報がポケット部８で隠蔽されることなく目視できるようにしている。
【０００５】
電報用台紙１にあっては外観が袱紗を折り畳んだものの形態に似るように、上記収納板２と蓋板３とポケット部８との外表面には袱紗生地からなる化粧外皮材９が設けられていて、それぞれの外表面をこの化粧外皮材９で覆っている。また、図２に示すように前記蓋板３の内面と前記収納板２の内面と前記ポケット部８との内面に亘って連続する布地からなる化粧内皮材１０が貼られて、前記収納板２の内面の化粧内皮材１０と前記ポケット部８の内面の化粧内皮材１０との間に、前記電報用紙５を取り付けた前記台紙本体６が配置されており、この電報用台紙１を見開いたときに袱紗を開いた雰囲気が醸し出せるように電報用台紙の外面の化粧外皮材９と内面の化粧内皮材１０とで、この電報用台紙１から袱紗のイメージを表現するように設けられている。
【０００６】
【発明の効果】
以上説明したように、本発明の電報用台紙によれば、出し入れ口を開口したポケット部を片面に有する収納板と、該収納板の前記出し入れ口と対向する側の辺に折り部を介して収納板側に折り重ね可能に連接した蓋板と、電報用紙が片面に取り付けられ前記ポケット部に一部分が差し入れられて支持され、かつ出し入れ可能に収納される台紙本体とを備え、前記蓋板は、ポケット部側に折り重ねたときに該ポケット部に収納した台紙本体とポケット部の出し入れ口とを覆う大きさに設定され、前記収納板と前記蓋板と前記ポケット部の外表面が袱紗生地からなる化粧外皮材で覆われ、前記蓋板の内面と前記収納板の内面と前記ポケット部の内面に亘って連続する布地からなる化粧内皮材が貼られていて、前記収納板の内面の化粧内皮材と前記ポケット部の内面の化粧内皮材との間に、前記電報用紙を取り付けた前記台紙本体が配置されていることを特徴とするものである。このように、収納板の片面側にポケット部が設けられていることから、台紙本体に取り付けた電報用紙をその台紙本体とともにポケット部に差し入れるようにすることで、電報用紙を脱落させることなく確実に保持できるようになる。そして、この電報用台紙にあっては蓋板と収納板とポケット部との外表面が袱紗状に形成されているため、電報用台紙全体が袱紗で包まれた形態に似せることができ、重厚で高級感を付与できるようになるなど、実用性に優れた効果を奏するものである。
【図面の簡単な説明】
【図１】本発明に係る電報用台紙の一例を示すもので、（イ）は内方側を示す説明図、（ロ）は外方側を示す説明図である。
【図２】一例を断面で示す説明図である。
【符号の説明】
１…電報用台紙
２…収納板
３…蓋板
５…電報用紙
６…台紙本体
７…出し入れ口
８…ポケット部
９…化粧外皮材
【図１】
0004244401.tif 000002
【図２】
0004244401.tif 000003